(57)【要約】      （修正有）【課題】熟練を必要とすることなく、簡単、迅速にルアーを組立てでき、量産化や品質を安定化できるように形成したルアー用フックハンガーを提供する。【解決手段】ルアー１の頭側から差し込む一方の金属線状棒部材４と、ルアー１の尾側から差し込む他方の金属線状棒部材５と、また一方の金属線状棒部材４と他方の金属線状棒部材５とを連結するための金属線状の継手部材６とで形成する。この継手部材６に螺子を形成する。ルアー１内に配置する一方の金属線状棒部材４の内端と、他方の金属線状棒部材５の内端とを、継手部材６に螺子合わせて連結可能に形成する。一方の金属線状棒部材４の外端に釣糸７の連結部８を形成する。他方の金属線状棒部材５の外端にフック９の取付部１０を形成する。【選択図】図１
0003176961.tif 000002
【実用新案登録請求の範囲】
【請求項１】
魚形の硬質性ルアーに、その長さ方向に通され、ルアーの頭側に釣糸の連結部が頭から露出状に形成され、ルアーの尾側にフックの取付部が尾から露出状に形成されている金属線状のルアー用フックハンガーであって、上記のルアーの頭側から差し込まれる一方の金属線状棒部材と、ルアーの尾側から差し込まれる他方の金属線状棒部材と、また一方の金属線状棒部材と他方の金属線状棒部材とを連結するための金属線状の継手部材とで形成され、この継手部材に螺子が形成され、ルアー内に配置される一方の金属線状棒部材の内端と、他方の金属線状棒部材の内端とが、継手部材に螺子合わされて連結可能に形成され、一方の金属線状棒部材の外端に釣糸の連結部が形成され、他方の金属線状棒部材の外端にフックの取付部が形成されていることを特徴とするルアー用フックハンガー。
【請求項２】
請求項1記載のルアー用フックハンガーであって、継手部材が、細長い管状に形成され、螺子が雌螺子であることを特徴とするルアー用フックハンガー。
【請求項３】
請求項1又は２記載のルアー用フックハンガーであって、一方の金属線状棒部材又は他方の金属線状棒部材と、継手部材とが、予め直線状に連結されていることを特徴とするルアー用フックハンガー。
【考案の詳細な説明】
【技術分野】
【０００１】
本考案は、ルアー用フックハンガーに関し、更に詳しくはウッド（木材）やプラスチック、金属等の硬い材料製のいわゆるハードルアーに取り付けて使用するルアー用フックハンガー関するものである。
【背景技術】
【０００２】
従来、この種のフックハンガーとしては、例えば特許文献１に記載の金属製ワイヤが知られている。
この従来品は、1本の太い針金で形成され、ルアー本体の頭部から尾部にかけて軸方向に貫通されている。
【０００３】
またこの従来品は、ルアー本体の頭部より突き出された箇所が環状に加工されて釣糸係止部に形成され、ルアー本体の尾部より突き出された箇所が曲げられ、アイ（フックを取り付けるための止め輪）に形成されている。
【０００４】
而して、この従来品でルアーを組立てる場合は、ルアー本体の頭の側から差し込み、尾端から突き出した先を手作業で曲げてアイを形成するものであった。そして、尾端のアイと、側鎖ワイヤの下端部のアイに、フック（釣針）を取り付けるものであった。
【０００５】
従って、従来品の場合は、尾端から突き出した先を曲げる作業に熟練を要し、手間暇がかかるのを避けられなかった。そのため、従来品によると、量産が難しく、また作業者の技量によって品質にばらつきが生じ易い、という問題点があった。
【先行技術文献】
【特許文献】
【０００６】
【特許文献１】特開２０００−３４２１１７号公報
【考案の概要】
【考案が解決しようとする課題】
【０００７】
本考案は、このような従来の実情に鑑み、提案されたものである。
従って本考案の解決しようとする技術的課題は、熟練を必要とすることなく、簡単、迅速にルアーを組立てでき、量産化や品質を安定化できるよう形成したルアー用フックハンガーを提供することにある。
【課題を解決するための手段】
【０００８】
本考案は、上記の課題を解決するため、次のような技術的手段を採る。
即ち、本考案は、図１等に示されるように、魚形の硬質性ルアー１に、その長さ方向に通され、ルアー１の頭側に釣糸７の連結部８が頭から露出状に形成され、ルアー１の尾側にフック９の取付部１０が尾から露出状に形成されている金属線状のルアー用フックハンガーであって、上記のルアー１の頭側から差し込まれる一方の金属線状棒部材４と、ルアー１の尾側から差し込まれる他方の金属線状棒部材５と、また一方の金属線状棒部材４と他方の金属線状棒部材５とを連結するための金属線状の継手部材６とで形成され、この継手部材６に螺子１２（図５等参照）が形成され、ルアー１内に配置される一方の金属線状棒部材４の内端と、他方の金属線状棒部材５の内端とが、継手部材６に螺子合わされて連結可能に形成され、一方の金属線状棒部材４の外端に釣糸７の連結部８が形成され、他方の金属線状棒部材５の外端にフック９の取付部１０が形成されていることを特徴とする（請求項１）。
【０００９】
ここで、魚形とは、疑似餌として機能する立体的な形状を意味する。具体的には、さばや秋刀魚等を模して形成したり、丸棒等の棒状部材に、くびれなどを施し、表面に魚の絵を表示することで形成する。ルアー１の材料としては、ウッド（木材）、プラスチック、金属材などがある。一方の金属線状棒部材４、他方の金属線状棒部材５、及び金属線状の継手部材６は、例えば真鍮、アルミ合金、防錆加工した鉄や鋼などで形成される。
【００１０】
また螺子１２（図５等参照）は、本考案の場合、雌螺子でも雄螺子でも良い。雌螺子の場合は、一方の金属線状棒部材４と他方の金属線状棒部材５の各内端が雄螺子状に形成される。また螺子１２が雄螺子の場合は、一方の金属線状棒部材４と他方の金属線状棒部材５の各内端に、雌螺子が形成されるものである。
【００１１】
而して、本考案は、上記の継手部材６が、細長い管状に形成され、螺子１２が雌螺子であるのが好ましい（請求項２）。
なぜならこの場合は、継手部材６がパイプ（管）状のため、この継手部材６を雄螺子状に形成する場合より、棒部材４、５との事前の連結作業を、手指を痛くすることなく、楽に回して行なうことができるからである。
【００１２】
また本考案は、一方の金属線状棒部材４又は他方の金属線状棒部材５と、継手部材６とが、予め直線状に連結されているのが好ましい（請求項３）。
なぜならこれによると、組立て時に、予め継手部材６を何れか一方の棒部材４、５に連結しておく作業を省略でき、その分、組立て作業を、楽に、また迅速にできるからである。
【考案の効果】
【００１３】
本考案は、このようにルアーの頭側から差し込む一方の金属線状棒部材と、ルアーの尾側から差し込む他方の金属線状棒部材と、また一方の金属線状棒部材と他方の金属線状棒部材とを連結するための金属線状の継手部材とで形成し、この継手部材に螺子を形成し、ルアー内に配置される一方の金属線状棒部材の内端と、他方の金属線状棒部材の内端とを、継手部材に螺子合わせて連結可能に形成し、一方の金属線状棒部材の外端に釣糸の連結部を形成し、他方の金属線状棒部材の外端にフックの取付部を形成しているものである。
【００１４】
従って本考案の場合は、一方の金属線状棒部材の外端に釣糸の連結部を、他方の金属線状棒部材の外端にフックの取付部を予め形成してあり、その状態でルアーに装着できるものである。
それ故、本考案によれば、熟練を必要とすることなく、簡単且つ迅速に、ルアーを組立てることができる。
また本考案は、フックの取付部等を予め機械加工によって形成できるから、品質の安定したルアーを量産化できる。
【図面の簡単な説明】
【００１５】
【図１】本考案の好適な一実施形態を示す使用状態時のルアーの断面図である。
【図２】本考案品を装着したルアーの正面図である。
【図３】同上ルアーの側面図である。
【図４】本考案品の一部を切欠した正面図である。
【図５】本考案品の使用状態を説明するための一部を切欠した要部正面図である。
【図６】本考案品の使用状態を説明するための一部を切欠した要部正面図である。
【図７】本考案品の他の実施形態を説明するための一部を切欠した要部正面図である。
【図８】本考案品の他の実施形態を説明するための一部を切欠した要部正面図である。
【考案を実施するための形態】
【００１６】
以下、本考案を実施するための好適な一実施形態を、添付図面に従って説明する。
本考案は、図１等に示されるように、魚形の硬質性ルアー１に、その長さ方向に通される金属線状のルアー用フックハンガーである。ルアー１は、この実施形態では、木製の棒状部材に、くびれなどが施され、表面に魚の絵が表示されている。
【００１７】
ルアー１は、そのほぼ軸心位置に、本考案品が通される細孔２が、長さ方向の全長にわたって貫通されている。この細孔２は、ルアー１の腹部から尾の側の径が拡大されている。また細孔２は、ルアー１の腹部に形成されている縦孔３と連通されている。この縦孔３の下端は、ルアー１の腹部に開口されている。
【００１８】
また本考案品は、ルアー１の頭側から差し込まれる一方の金属線状棒部材４と、ルアー１の尾側から差し込まれる他方の金属線状棒部材５と、また一方の金属線状棒部材４と他方の金属線状棒部材５とを連結するための金属線状の継手部材６とで形成されている。一方の金属線状棒部材４と、他方の金属線状棒部材５と、継手部材６は、この実施形態では共に真鍮で形成されている。
【００１９】
一方の金属線状棒部材４の一端には、予め釣糸７の連結部８が輪状に形成されている。この連結部８は、本考案品をルアー１に装着したとき、ルアー１の頭側に露出されるものである。また他方の金属線状棒部材５の一端には、フック９の取付部１０が、予め輪状に形成されている。この取付部１０は、本考案品をルアー１に装着したとき、ルアー１の尾の側に露出されるものである。
【００２０】
ルアー１は、尾端に、他方の金属線状棒部材５を真っ直ぐに案内する孔１１ａを備えたガイド部材１１が嵌め込まれている。このガイド部材１１の孔１１ａは、他方の金属線状棒部材５の径より僅かに大きい状態に形成されている。
【００２１】
また本考案は、継手部材６に螺子１２としての雌螺子が形成されている。継手部材６は、この実施形態では細長い管状に形成されている。
【００２２】
そして、本考案は、ルアー１内に配置される一方の金属線状棒部材４の内端と、他方の金属線状棒部材５の内端が、雄螺子状に形成されている。これにより、一方の金属線状棒部材４の内端と、他方の金属線状棒部材５の内端が、継手部材６に螺子合わされ、継手部材６を介して連結されるものである。
【００２３】
なお、１３は、縦孔３に、縦向きに通される吊り下げ部材である。この吊り下げ部材１３の上端１３ａは、継手部材６を通すことができるよう、継手部材６より径が大きなリング状に形成されている。またこの吊り下げ部材１３の下端１３ｂには、フック１４が連結されている。
【００２４】
次に、この実施形態の本考案品の使用例を説明する。
【００２５】
作業者は、先ず、吊り下げ部材１３を縦孔３に、ルアー１の腹部の下方から差し込み、その上端１３ａを細孔２内に配置する。次に、作業者は、一方の金属線状棒部材４をルアー１の頭の側から差し込む。
【００２６】
この場合、作業者は、図５に示されるように、予め継手部材６に、一方の金属線状棒部材４の内端をネジ込んで両者を連結しておくのが良い。
そして、作業者は、一方の金属線状棒部材４に連結されている継手部材６を吊り下げ部材１３の上端１３ａの輪に通す。
【００２７】
その後、作業者は、他方の金属線状棒部材５をルアー１の尾の側から、ガイド部材１１の孔１１ａに差し込む。すると、この実施形態では他方の金属線状棒部材５が、ガイド部材１１の孔１１ａにより、上下左右にぶれることなく真っ直ぐに案内される。
【００２８】
そして、作業者は、他方の金属線状棒部材５を回し、その内端（先端）を継手部材６の先端部に螺子込む。これにより、一方の金属線状棒部材４と他方の金属線状棒部材５とが継手部材６を介して連結される（図６参照）。
作業者は、その後、他方の金属線状棒部材５の取付部１０と、吊り下げワイヤの下端１３ｂに、フック９、１４を取り付ける。
【００２９】
以上の処において、本考案は、図７に示されるように、例えば一方の金属線状棒部材４（又は他方の金属線状棒部材５）と、継手部材６とを、予め直線状に、例えばロー付け等の手段で連結して形成するのでも良い。
なぜならこの場合は、組立て時に、継手部材６を一方の金属線状棒部材４に連結する手間暇を省略でき、組立て作業の容易化、迅速化を一層図ることができるからである。１５は、ロー付け箇所を示す。
【００３０】
また本考案は、上例のガイド部材１１に代え、例えば細孔２の途中の径を細め、これによって他方の金属線状棒部材５等を真っ直ぐにガイドできるよう形成しているのでも良い。
【００３１】
また本考案は、図８に示されるように、継手部材６の一端が漏斗状部１６に形成されているのでも良い。この場合は、上記のガイド部材１１等を省略しても、例えば他方の金属線状棒部材５の内端を螺子１２に導き易くなり、連結作業を楽にできるものである。
【符号の説明】
【００３２】
１      ルアー
２      細孔
３      縦孔
４      一方の金属線状棒部材
５      他方の金属線状棒部材
６      継手部材
７      釣糸
８      連結部
９      フック
１０    取付部
１１    ガイド部材
１２    螺子
【図１】
0003176961.tif 000003
【図２】
0003176961.tif 000004
【図３】
0003176961.tif 000005
【図４】
0003176961.tif 000006
【図５】
0003176961.tif 000007
【図６】
0003176961.tif 000008
【図７】
0003176961.tif 000009
【図８】
0003176961.tif 000010